(57)【要約】【課題】消臭、抗菌作用をよりよく発揮でき、而も製造が安価で、濾紙と消臭剤又は抗菌剤の組み合わせ自由度に富む使い捨てで焼却可能なフィルタを提供できるようにする。【解決手段】多重に配設する濾紙２，３を焼却可能な材質により構成するとともに、上記濾紙２と上記濾紙３との間に、互いに区分された態様で複数の消臭，抗菌剤収容室７ａ，７ｂ，７ｃ，７ｄ，７ｅ，７ｆ…を形成し、上記複数の消臭，抗菌剤収容室７ａ，７ｂ，７ｃ，７ｄ，７ｅ，７ｆ…各々内に、各消臭，抗菌剤収容室内をほぼ満たすようにして焼却可能な粒状の消臭、抗菌剤８の多数を収容し、更に上記多重に配した濾紙２と３の周囲を濾紙密閉保持体６により互いに固着し、上記濾紙密閉保持体６を上側周囲枠５に対して両面接着テープ１０を介して取り付けてフィルタ１を構成する。【選択図】        図１
2005066388.tif 000002
【特許請求の範囲】
【請求項１】
空気調和装置、空気清浄器、換気扇、脱臭装置、集塵装置等の空気通路中に、取付け、取り外し可能に配設される複数の濾紙を多重に配したフィルタに於いて、
上記多重に配設された濾紙２，３を焼却可能な材質により構成するとともに、上記濾紙２と上記濾紙３との間に、互いに区分された態様で複数の消臭，抗菌剤収容室７ａ，７ｂ，７ｃ，７ｄ，７ｅ，７ｆ…が形成されるように多重に配設し、上記複数の消臭，抗菌剤収容室７ａ，７ｂ，７ｃ，７ｄ，７ｅ，７ｆ…各々内に、各消臭，抗菌剤収容室内をほぼ満たすようにして焼却可能な粒状の消臭、抗菌剤８の多数を収容し、上記多重に配した濾紙２と３の周囲を濾紙密閉保持体６により互いに固着し、上記濾紙密閉保持体６を上側周囲枠５に対して両面接着テープ１０を介して取り付けるとともに、上記上側周囲枠５により、フィルタ１全体の強度を向上させるとともに、上記消臭剤，抗菌剤が端部から漏れるのを防止するための押さえ片５ａを形成したことを特徴とする使い捨てフィルタ。
【請求項２】
上記多重に配された濾紙は、その内の下側が平坦な濾紙２であり、上側が山谷状に形成された濾紙３であって、これら濾紙２と３との間に略断面が台形状又は三角形状、あるいは半円形状の複数の消臭，抗菌剤収容室７ａ，７ｂ，７ｃ，７ｄ，７ｅ，７ｆ…が互いに区分されて形成されていることを特徴とする請求項１記載の使い捨てフィルタ。
【請求項３】
上記多重に配された濾紙は、平坦な濾紙２，２２の複数と、山谷状に形成された濾紙３，１３の複数より成り、それらを交互に配設し、上記平坦な濾紙と山谷状に形成された濾紙との間の多数の消臭，抗菌剤収容室７ａ，７ｂ，７ｃ，７ｄ，７ｅ，７ｆ…が上下多層にわたって形成されていることを特徴とする請求項１記載の使い捨てフィルタ。
【請求項４】
上記消臭，抗菌剤収容室７ａ，７ｂ，７ｃ，７ｄ，７ｅ，７ｆ…内に収容されている消臭、抗菌剤８は球状の多孔性セルロースを核として、それに消臭剤又は抗菌剤が結合されているものであることを特徴とする請求項１，２，３何れか１項に記載の使い捨てフィルタ。
【請求項５】
内部に吸い込んだ空気中に含まれる塵芥をフィルタによって除去して浄化する空気清浄装置であって、
空気清浄装置本体１１１の上方に複数の傘状の空気吸い込み口１０１、１０２、１０３が配設されているとともに、上記空気清浄装置本体１１１の下方には複数の空気排出孔１１１ａ、１１１ｂが形成されており、上記複数の傘状の空気吸い込み口１０１、１０２、１０３から吸い込んだ空気を上記複数の空気排出孔１１１ａ、１１１ｂから上方に向けて吐きだすようにして、上記空気排出孔１１１ａ、１１１ｂと上記傘状の空気吸い込み口１０１、１０２、１０３との間で空気が循環するように構成され、且つ上記各々の傘状の空気吸い込み口１０１、１０２、１０３にはフィルタ１３０がそれぞれ配設されていて、上記傘状の空気吸い込み口１０１、１０２、１０３から吸い込んだ空気を上記各フィルタ１３０で浄化し、上記浄化した空気を上記空気排出孔１１１ａ、１１１ｂから吐きだすようにしたことを特徴とする空気清浄装置。
【請求項６】
内部に吸い込んだ空気中に含まれる塵芥をフィルタによって除去して浄化する空気清浄装置であって、
空気清浄装置本体２１１の上方にパラソル状に形成された柄２１５及びパラソル状に形成された傘２１６が配設されているとともに、上記空気清浄装置本体１１１の下方には複数の空気排出孔が形成されており、上記パラソル状の柄２１５には複数の空気吸入孔２１５ａが形成されていて、これらの空気吸入孔２１５ａから吸い込んだ空気を上記複数の空気排出孔から上方に向けて吐きだすようにして、上記空気排出孔と上記空気吸入孔２１５ａとの間で空気が循環するように構成され、且つ上記空気清浄装置本体２１１の内部にはフィルタが配設されていて、上記複数の空気吸入孔２１５ａから吸い込んだ空気を上記フィルタで浄化し、上記浄化した空気を上記空気排出孔から吐きだすようにしたことを特徴とする空気清浄装置。
【請求項７】
上記空気浄化用のフィルタは、上記請求項１〜５の何れか１項に記載の使い捨てフィルタであることを特徴とする請求項５に記載の空気清浄装置。
【請求項８】
上記空気清浄装置本体１１１、２１１の上部にテーブル１１３、２１３が配設されていて、上記テーブル１１３、２１３及び上記空気吸い込み口１０１、１０２、１０３、２１５ａの高さが調節自在に構成されていることを特徴とする請求項５〜７の何れか１項に記載の空気清浄装置。
【発明の詳細な説明】
【０００１】
【発明の属する技術分野】
本発明は使い捨てフィルタ、及びそれを用いた空気清浄装置に係わり、更に詳しくは空気調和装置、空気清浄器、換気扇、脱臭装置、集塵装置等の空気通路に取り付け、取り外し可能であって使い捨て後焼却処理できるフィルタ及びそれを用いた空気清浄装置に関する。
【０００２】
【従来の技術】
周知の通りゴミやホコリを収集する為の空気調和装置等の空気通路に取り付けられるフィルタは種々実用されている。そして、ゴミやホコリを収集する為のみならず消臭や抗菌作用を与えることのできるフィルタも多々提案されている。例えば特許文献１には、その３頁コラム左欄、段落番号００１２に、フィルタの面に、ヨウ素化殺菌剤を含浸又は添着した不織布を貼着し、全体として積層構造体としたフィルタの技術が示されている。又特許文献２には、その２頁コラム右欄、段落番号００１０に、各種通気性を有する素材に、粉状抗菌材を含浸やコーティングで表裏一面に定着させるフィルタの技術が示されている。
【０００３】
【特許文献１】
特開平１１−２７６８２３号公報
【特許文献２】
特開平６−２９３２１６号公報
【０００４】
【発明が解決しようとする課題】
上記従来技術の場合、濾紙の表面や組織中に消臭剤又は抗菌剤を添着又は含浸あるいはコーティングさせたものであるので、消臭、抗菌剤の付着面積は濾紙の表面積や薄い厚さの組織中の容積に限定され、即ち濾紙の表面積以上は大とはならず、通過空気に対して消臭、抗菌作用をより一層向上させることに限界がある。
【０００５】
更には濾紙に消臭剤や抗菌剤を含浸したり、コーティングしたりするのでフィルタ全体の低コスト化に一定の限界を与えていた。
加えて、濾紙に対して消臭剤や抗菌剤を含浸したり、コーティングしたりするので、各フィルタの設置状況に応じてゴミやホコリの収集状況や消臭、抗菌の作用の度合に応じて濾紙と消臭剤、抗菌剤の組み合わせを自由自在にしたい場合、その要求に直ちに応ずることができない問題があった。
【０００６】
また、職場等において喫煙コーナーを設ける場合、従来は図１４及び図１５に示すように、一定面積の空間を仕切るブースタイプの喫煙コーナーを形成していた。図１４に示した喫煙ブース２３０は、天井に空気清浄機２３１を配設したものである。
【０００７】
このような構成により、上記空気清浄機２３１の中央部分から吸い込まれた空気ｙは空気清浄機２３１の周囲から下方に吐き出される。この結果、喫煙ブース２３０の内部でタバコを吸った場合には、その煙が喫煙ブース２３０の内部の全体に拡散されることになる。
【０００８】
また、図１５に示した喫煙ブース２４０の場合は、テーブルタイプの空気清浄機２４１の場合は、上記空気清浄機２４１の上面から吸い込んだ空気ｙをその下方から側方向に吐き出すようにしている。従って、この例の場合も喫煙ブース２４０の内部でタバコを吸った場合には、その煙が喫煙ブース２４０の内部の全体にタバコの煙が拡散されてしまい、タバコを吸っている人の周囲にいる人に悪影響を与えてしまう問題があった。
【０００９】
【目的】
従って、本発明の目的とするところは、消臭、抗菌作用をよりよく発揮でき、而も製造が安価で、濾紙と消臭剤又は抗菌剤の組み合わせ自由度に富む使い捨てで焼却可能なフィルタを提供するにある。
又、本発明の他の目的とするところは、上記消臭、抗菌作用をよりよく発揮でき、而も製造が安価で、濾紙と消臭剤又は抗菌剤の組み合わせ自由度に富む使い捨てで焼却可能なフィルタを使用して、周囲に悪影響を与えることが少ない空気清浄装置を提供することを第２の目的とする。
【００１０】
【課題を解決する為の手段】
上記目的を達成する為に本発明は次の技術的手段を有する。即ち、実施例の形態で示した添付図面中の符号を付して説明すると、空気調和装置、空気清浄器、換気扇、脱臭装置、集塵装置等の空気通路中に、取付け、取り外し可能に配設される複数の濾紙を多重に配したフィルタに於いて、
上記多重に配設された濾紙２，３を焼却可能な材質により構成するとともに、上記濾紙２と上記濾紙３との間に、互いに区分された態様で複数の消臭，抗菌剤収容室７ａ，７ｂ，７ｃ，７ｄ，７ｅ，７ｆ…が形成されるように多重に配設し、上記複数の消臭，抗菌剤収容室７ａ，７ｂ，７ｃ，７ｄ，７ｅ，７ｆ…各々内に、各消臭，抗菌剤収容室内をほぼ満たすようにして焼却可能な粒状の消臭、抗菌剤８の多数を収容し、上記多重に配した濾紙２と３の周囲を濾紙密閉保持体６により互いに固着し、上記濾紙密閉保持体６を上側周囲枠５に対して両面接着テープ１０を介して取り付けるとともに、上記上側周囲枠５により、フィルタ１全体の強度を向上させるとともに、上記消臭剤，抗菌剤が端部から漏れるのを防止するための押さえ片５ａを形成したことを特徴とする使い捨てフィルタである。
【００１１】
又本発明は、上記多重に配された濾紙は、その内の一方が平坦な濾紙２であり、他方が山谷状に形成された濾紙３であって、これら濾紙２と３の間に略断面が台形状又は三角形状、あるいは半円形状の複数の消臭，抗菌剤収容室７ａ，７ｂ，７ｃ，７ｄ，７ｅ，７ｆ…が互いに区分されて形成されていることをも特徴とする。
【００１２】
更に、本発明は上記多重に配された濾紙は、平坦な濾紙２，１２の複数と、山谷状に形成された濾紙３，１３の複数より成り、それらを交互に配設し、上記平坦な濾紙と山谷状に形成された濾紙の間の多数の消臭，抗菌剤収容室７ａ，７ｂ，７ｃ，７ｄ，７ｅ，７ｆ…が上下多層にわたって形成されていることをも特徴とする。
【００１３】
加えて本発明は、上記消臭，抗菌剤収容室７ａ，７ｂ，７ｃ，７ｄ，７ｅ，７ｆ…内に収容されている消臭、抗菌剤８は球状の多孔性セルロースを核として、それに消臭剤又は抗菌剤が結合されているものであることを特徴とする。
【００１４】
更に、本発明はの空気清浄装置は、内部に吸い込んだ空気中に含まれる塵芥をフィルタによって除去して浄化する空気清浄装置であって、
空気清浄装置本体１１１の上方に複数の傘状の空気吸い込み口１０１、１０２、１０３が配設されているとともに、上記空気清浄装置本体１１１の下方には複数の空気排出孔１１１ａ、１１１ｂが形成されており、上記複数の傘状の空気吸い込み口１０１、１０２、１０３から吸い込んだ空気を上記複数の空気排出孔１１１ａ、１１１ｂから上方に向けて吐きだすようにして、上記空気排出孔１１１ａ、１１１ｂと上記傘状の空気吸い込み口１０１、１０２、１０３との間で空気が循環するように構成され、且つ上記各々の傘状の空気吸い込み口１０１、１０２、１０３にはフィルタ１３０がそれぞれ配設されていて、上記傘状の空気吸い込み口１０１、１０２、１０３から吸い込んだ空気を上記各フィルタ１３０で浄化し、上記浄化した空気を上記空気排出孔１１１ａ、１１１ｂから吐きだすようにしたことを特徴とする。
【００１５】
更に、本発明の空気清浄装置は、内部に吸い込んだ空気中に含まれる塵芥をフィルタによって除去して浄化する空気清浄装置であって、
空気清浄装置本体２１１の上方にパラソル状に形成された柄２１５及びパラソル状に形成された傘２１６が配設されているとともに、上記空気清浄装置本体１１１の下方には複数の空気排出孔が形成されており、上記パラソル状の柄２１５には複数の空気吸入孔２１５ａが形成されていて、これらの空気吸入孔２１５ａから吸い込んだ空気を上記複数の空気排出孔から上方に向けて吐きだすようにして、上記空気排出孔と上記空気吸入孔２１５ａとの間で空気が循環するように構成され、且つ上記空気清浄装置本体２１１の内部にはフィルタが配設されていて、上記複数の空気吸入孔２１５ａから吸い込んだ空気を上記フィルタで浄化し、上記浄化した空気を上記空気排出孔から吐きだすようにしたことを特徴とする。
【００１６】
更に、本発明の空気清浄装置は、上記空気浄化用のフィルタは、上記の何れかに記載の使い捨てフィルタであることを特徴とする。
【００１７】
更に、本発明の空気清浄装置は、上記空気清浄装置本体１１１、２１１の上部にテーブル１１３、２１３が配設されていて、上記テーブル１１３、２１３及び上記空気吸い込み口１０１、１０２、１０３、２１５ａの高さが調節自在に構成されていることを特徴とする。
【００１８】
【作用】
このようにして成るフィルタ１は、建物に設備されている空気調和装置等のフィルタ取付部９に取り付けられる。このように取り付けられると、冷房又は暖房あるいは送風等の駆動時、建物内の空気が空調装置に吸引されてフィルタ１を通るから、上側の山谷状に形成された濾紙３又は下側の平坦な濾紙２に於いてゴミ、ホコリ等が捕集されると共に、臭気成分は、消臭，抗菌剤収容室７ａ，７ｂ，７ｃ，７ｄ，７ｅ，７ｆ…内の消臭剤８によって脱臭され、又は空気中のカビ、細菌は抗菌剤８によって制菌される。
従って、空気調和機器を構成する建物内の配管、ダクト内にゴミ、ホコリが吸い込まれたり、又はカビが壁面に付着し成長したりすることを抑制できる。従って、循環して室内に戻る空気は清浄になる。
更には、多孔性セルロース粒子の担体にマイナスイオン発生剤が複合されたものが収容室に収容されていればマイナスイオンが生じるし、工場等で、特定物質、例えばさく酸を含むガスが発生していれば、収容室内に、多孔性セルロース粒子の担体に特定物質分解剤が複合されたものが収容されていれば、上記のさく酸成分を分解するものである。
又、本発明の空気清浄装置は、空気清浄装置本体１１１の上方に複数の傘状の空気吸い込み口１０１、１０２、１０３が配設されているので、空気は上方から内部に吸い込まれ、上記内部に吸い込まれた空気は空気清浄装置本体１１１の下方に形成された複数の空気排出孔１１１ａ、１１１ｂから上方に向けて吐きだされる。これにより、上記空気排出孔１１１ａ、１１１ｂと上記傘状の空気吸い込み口１０１、１０２、１０３との間で空気が循環して、空気清浄装置本体１１１の周囲の所定の範囲に空気の清浄空間が形成され、上記空気の清浄空間内で発生したタバコの煙等が周囲に拡散する可能性を大幅に軽減することができ、周囲に悪影響を与えることが少なくすることができる。
【００１９】
【発明の実施の形態】
次に、添付図面に従い本発明の好ましい実施の形態を詳細に説明する。
図１〜図５は、本発明の使い捨てフィルタの第一の実施の形態を示したものであり、符号１はこの発明に係るフィルタ全体を示し、このフィルタ１は長方形状、又は四角形状、又は円形状あるいは他の形状形成された平坦な濾紙２と、それに対して上側に位置する山谷状に形成された濾紙３より成る。
【００２０】
これらの濾紙２，３は空気中のゴミやホコリ、細菌等をとるものなら何れをも用いることができるが、本発明に係るフィルタ１は使い捨て、及びその後に焼却処理できることを条件とするので、それに適う材質のものが選ばれる。従って、それらは紙製、繊維製又はそれらの混合の濾紙とされるが、例えば不織布のパルコンポ（東洋紡の商標名）や、上記パルコンポとトレミクロン（東レの商標名）を貼合わせしたもの等が考慮される。
【００２１】
上記濾紙２と３の組合わせについてより具体的に説明すると、濾紙２は平坦な形状を呈しているが、濾紙３は、平坦な端部３ａと、それに連なっている山部３ｂと、更にそれに続けて形成されている谷部３ｃより成り、それを交互に繰り返して全体として山谷状に形成されている。この例では、山部３ｂが１４ヶ所形成されている例を示してある。従って、平坦な濾紙２と山谷形状の濾紙３の間に３角形状の断面を呈する消臭，抗菌剤収容室７ａ，７ｂ，７ｃ，７ｄ，７ｅ，７ｆ…が各々区分されて１４室形成されている。
【００２２】
これを組み立てるには種々の手段が考えられるが、この実施例では、山谷状フレーム４と、上側周囲枠５と、濾紙密閉保持体６を用いる例を示してある。
即ち、上記の山谷状フレーム４は、フレーム端部４ａと、それに続くフレーム山部４ｂと、更にそれに続くフレーム谷部４ｃを有し、左右側部にフレーム側部４ｄが形成されている。従って、この山谷状のフレーム４に山谷形状の濾紙３を支持させ、即ちフレーム４の端部４ａ上に濾紙３の端部３ａを支持させ、更にフレーム４の山部４ｂ上に濾紙３の山部３ｂを支持させ、且つフレーム４の谷部４ｃ上に濾紙３の谷部３ｃを支持させ、これらにより濾紙３全体をフレーム４全体によって支える。
【００２３】
この場合、フレーム４は、端部４ａ、山部４ｂ、谷部４ｃ並びに側部４ｄ部分のみがフレーム状になっているだけなので、フレームとフレーム間に濾紙３が露出することになる。即ち、空気がフレームによって囲まれ、又は覆われていない濾紙３部分を通るようにされている。
【００２４】
この後、山谷状の濾紙３の一つ一つの山の部分、即ち消臭，抗菌剤収容室７ａ，７ｂ，７ｃ，７ｄ，７ｅ，７ｆ…内の個々に消臭，抗菌剤８の多数を収容し、平坦な濾紙２を重ね合わせる。そして、上側周囲枠５を平坦な濾紙２上に配置すると共に、これらの濾紙２、３を内部に収納する濾紙密閉保持体６を上側周囲枠５の下側に両面接着テープ１０を介して取り付ける。
【００２５】
この時、濾紙３の山部３ｂ、及び谷部３ｃに沿う両端部は上記上側周囲枠５及び濾紙密閉保持体６によって濾紙２の端部及び濾紙３の端部３ａが挟み込まれるようになる。即ち、上側周囲枠５、濾紙２の端部、濾紙３の端部３ａ、フレーム４の端部４ａが濾紙密閉保持体６の周囲の取り付け面６ａとが重なり合う。そこで、その重なり合った部分を両面接着テープ１０等の接着剤で互いに固定して全体を組み立てことにより、使い捨て可能で且つ焼却処理できるフィルタ１とするものである。上記の場合、濾紙３やフレーム４の山部の高さは、このフィルタ１を設置する取り付け部に過不足なく納まるような高さに適宜定められる。
【００２６】
一方、上記濾紙３の山部３ｂ、及び谷部３ｃに直交する方向においては、上記下側の平坦な濾紙２の端部と上側の山谷状に形成された濾紙３の端部とを上記濾紙密閉保持体６の立ち上げ部６ｂに当接させている。そして、上記上側周囲枠５には上記濾紙３の谷部３ｃに対応させて複数の押さえ片５ａを形成し、上記濾紙密閉保持体６の立ち上げ部６ｂ及び上記上側周囲枠５の押さえ片５ａによって、上記複数の消臭，抗菌剤収容室７ａ，７ｂ，７ｃ，７ｄ，７ｅ，７ｆ…の端部を密閉するようにした例を示している。上記押さえ片５ａにより、フィルタ１全体の強度を向上させているとともに、後述する消臭剤，抗菌剤が端部から漏れるのを防止している。
【００２７】
上記の場合、濾紙２と３のみならず、フレーム４及び上側周囲枠５、濾紙密閉保持体６に関しても、このフィルタ１全体が使い捨て及びその後に焼却処理できることを条件とするので、軽量で焼却処理できる紙製、例えば段ボール用紙又はベニヤ板製より成るものが考慮される。
【００２８】
さて、このようにすると、従来のように単に平坦な濾紙と濾紙の間に消臭剤や抗菌剤を介在させて入れただけでは、製造途上、保管時、搬送時、空調機器への据付時、消臭剤や抗菌剤が偏在し、片寄ったりしてしまう。例えば、地面に対して縦にしたり、又はフィルタ取付時に縦にセットしてから水平にセットしたりすると、フィルタを通る空気に対して、消臭剤、抗菌剤が均一に接触しないことになるので、浄化、消臭、殺菌等処理されるべき空気と消臭剤，抗菌剤の接触効率が落ち、消臭、抗菌効果が予定した通りには得られない。
【００２９】
ところが、この実施の形態に示されるように、フィルタ１の空気流入、流出領域は、複数の消臭、抗菌剤収容室７ａ，７ｂ，７ｃ，７ｄ，７ｅ，７ｆ…に小分けに区分されていて、その各消臭、抗菌剤収容室７ａ，７ｂ，７ｃ，７ｄ，７ｅ，７ｆ…内には各収容室内容積空間をほぼ満たすようにして粒状の消臭、抗菌剤８の多数が収容されているので、フィルタ１全体を傾けても、消臭、抗菌剤８がフィルタ１全体の中で何れか片側に偏在することがないのみならず、各消臭、抗菌剤収容室７ａ，７ｂ，７ｃ，７ｄ，７ｅ，７ｆ…内に於いても片側に偏ったり、逆に一部に大きな空隙が生じてしまったりすることもない。従って、フィルタ１を通る空気に対して、全体として消臭、抗菌剤８が均一に接っし、接触効率が良好に保たれ、空気の消臭、空気中の菌に対する抗菌作用が良好に行なわれる。
【００３０】
そして特に、従来のフィルタを構成する濾紙の表面や組織中に消臭、抗菌剤を添着又は含浸あるいはコーティングさせたものの場合には、消臭、抗菌剤の付着面積は、濾紙の表面積や薄い組織中の容積に限定され、それ以上大きくならないのに比し、この実施形態のフィルタ１の場合、消臭、抗菌剤収容室７ａ，７ｂ，７ｃ，７ｄ，７ｅ，７ｆ…の複数が山谷状に形成されていて各消臭、抗菌剤収容室は断面形状が略三角形状に形成されているから、各収容室７ａ，７ｂ，７ｃ，７ｄ，７ｅ，７ｆ…の容積は大きくなり、そのことはより多数の消臭、抗菌剤８が各収容室に収容されることとなる。このことは、フィルタ１を通過する空気が通過過程でより消臭、抗菌剤８に接触することとなり、消臭、抗菌剤８による消臭、抗菌作用が増大する。
【００３１】
さて、消臭、抗菌剤収容室７ａ，７ｂ，７ｃ，７ｄ，７ｅ，７ｆ…内に収容する消臭、抗菌剤８は、多孔性セルロース粒子を担体としてそれに消臭剤、又は抗菌剤あるいは特定の例えばタバコの臭気、あるいは工場等で用いられるさく酸等有機物質又は無機物質の臭気を分解する機能物質を複合化したものが考慮される。上記多孔性セルロース粒子は公知のもので、多孔性の為に内部に水や空気は勿論のこと上記消臭、抗菌剤を保持できる。そして外径や、内部の孔径等も製造段階で調整できるものである。例えば粒径は５０〜１，５００μｍに調整できる。
【００３２】
本発明の場合、濾紙２や濾紙３の孔隙から滑り又は抜け落ちないことが要所なので、濾紙２，３の孔隙より大の直径を有することが必須の条件である。例えばビスコパール（レンゴー株式会社の商標名）と称して、故紙を原料に複数の多孔化剤を組み合わせてポーラス化した球状再生セルロース粒子に、消臭剤を複合、結合化したものや、この球状再生セルロース粒子にワサビ成分を結合化した抗菌剤や、その他マイナスイオン放出物質を結合化したもの、中には活性炭成分を結合化したもの等が上げられる。
【００３３】
さて、消臭、抗菌剤収容室７ａ，７ｂ，７ｃ，７ｄ，７ｅ，７ｆ…各々内には、同種の消臭剤８を収容してもよく、交互に消臭剤８、抗菌剤８を収容してもよい。このように従来フィルタを構成する濾紙自体に消臭、抗菌剤をバインダーにて結合させてしまったものの場合には、使用途要求に応じてフィルタ濾紙全体を取替えねばならなかったが、この発明の場合、各収容室に入れる消臭、抗菌剤を交替するだけで済むものである。
【００３４】
このようにして成るフィルタ１は、建物に設備されている空気調和装置（空洞エアコンといわれるものも含む。）のフィルタ取り付け部分や、図示してはいないが空気清浄器、換気扇、脱臭装置、集塵装置のフィルタ取り付け部に取り付けられる。このように取り付けられると、例えば上記の建物に設備されている空気調和装置のフィルタ取付部９に取り付けられると、冷房又は暖房あるいは送風等の駆動時、建物内の空気が空調装置に吸引されてフィルタ１を通るから、濾紙３又は２に於いてゴミ、ホコリ等が捕集されると共に、臭気成分は、臭気、抗菌剤収容室７ａ，７ｂ，７ｃ，７ｄ，７ｅ，７ｆ…内の消臭剤８によって脱臭され、又は空気中のカビ、細菌は抗菌剤８によって制菌される。
【００３５】
従って、空気調和機器を構成する建物内の配管、ダクト内にゴミ、ホコリが吸い込まれたり、又はカビが壁面に付着し成長したりすることを抑制できる。従って、循環して室内に戻る空気は清浄になる。更には、多孔性セルロース粒子の担体にマイナスイオン発生剤が複合されたものが収容室に収容されていればマイナスイオンが生じるし、工場等で、特定物質、例えばさく酸を含むガスが発生していれば、収容室内に、多孔性セルロース粒子の担体に特定物質分解剤が複合されたものが収容されていれば、上記のさく酸成分を分解するものである。
【００３６】
図６の例は、消臭、抗菌剤収容室７ａ，７ｂ，７ｃ，７ｄ，７ｅ，７ｆ…の形を略半円状としたものである。即ち、下側の濾紙３の山部３ｂを半円状とすると共に、それを支えるフレーム４も半円状としたもので、収容室の形状が異なるのみで、作用、効果は図１〜図５の実施例と同じである。従って、図１〜図５と同一の部所は同一の符号を付して示してある。
【００３７】
図７に示す第三の実施例は、上側の山谷状に形成された濾紙３の下側に平坦な濾紙２を配し、更にその下に山谷状の濾紙１３を配し、加えてその下に平坦な濾紙２２を配し、全体としてハニカム構造とし、上下段に消臭、抗菌剤収容室７ａ，７ｂ…を形成し、その個々に消臭、抗菌剤８を収容したものである。この実施例の場合、多段に収容室７ａ，７ｂ…を形成するので各段の高さを低くし、全体としての高さが、このフィルタ１を空調装置の取付部９に過不足なく納まるように設定してある。このように多段とすることで、各収容室を小さくした上でより数多く形成でき、従って、種々の消臭剤、抗菌剤を区分して収容できる。その他は図１〜図５の実施例と同一の作用、効果を呈する。従って、図１〜図５に示した実施例と同一の部所は同一の符号を付してある。
【００３８】
このように使用したフィルタ１は、使用条件によって異なるが例えば３ヶ月程度使用したならば、次の新しいフィルタ１に交替する。本発明の場合、使用済みのフィルタ１は使い捨てとし、且つ構成材料が全て焼却可能なので、焼却処理する。
【００３９】
次に、図８に第四の実施の形態を示す。この実施形態の場合、消臭、抗菌剤収容室７ａ，７ｂ，７ｃ，７ｄ，７ｅ，７ｆ…の個々を台形状にしたもので、全体としてはフレーム４も山谷状であり、それによって支えられている上側の山谷状に形成された濾紙３も山谷状である。
この実施の形態のフィルタ１の場合も実施例１と同一の作用、効果を呈する。従って、実施例１と同一の部所は同一の符号を付して説明を省略する。
【００４０】
次に、上述したフィルタ１を用いた空気清浄装置の構成例を図９〜１２を参照しながら説明する。
図９に示した空気清浄装置１００は、傘状の空気吸い込み口１０１、１０２、１０３を３個上部に備えている。上記各々の傘状の空気吸い込み口１０１、１０２、１０３は空気吸入ダクト１０１ａ、１０２ａ、１０３ａの先端にそれぞれ取り付けられており、上記空気吸入ダクト１０１ａ、１０２ａ、１０３ａの根元部分は、上記空気清浄装置本体１１１の内部に上下動自在に配設されたダクト支持体１１２に取り付けられている。上記空気吸入ダクト１０１ａ、１０２ａ、１０３ａは１２０度間隔で設けられている。また、上記空気吸入ダクト１０１ａ、１０２ａ、１０３ａの先端は蛇腹状に形成されており、上記傘状の空気吸い込み口１０１、１０２、１０３の取り付け位置及び取り付け角度を、使用者が自由に設定できるようになされている。
【００４１】
本実施の形態においては、上記空気清浄装置本体１１１を円筒状に形成し、上記ダクト支持体１１２を角型に形成した例を示しているが、これらの形状は任意である。また、上記ダクト支持体１１２の上部には灰皿１１４等を載置するためのテーブル１１３が取り付けられている。また、上記空気清浄装置本体１１１は、浄化した空気を上方の傘状の空気吸い込み口１０１の方向に向ける作用を有している装置支持台１１０によって支持されている。
【００４２】
図１０及び図１１の断面図に示すように、各々の傘状の空気吸い込み口１０１、１０２、１０３には端部にはフィルタ１３０が取り付けられている。これらのフィルタ１３０は、上述したフィルタ１と同様に構成されているものであり、濾紙の表面積に対して、消臭、抗菌剤の容積を大きくすることができるから、通過空気に対してよりよく消臭、抗菌作用を与えることができるものである。
【００４３】
上記空気清浄装置本体１１１の内部には空気吸入用ファン１４０が配設されており、上記傘状の空気吸い込み口１０１、１０２、１０３から空気清浄装置本体１１１の内部に吸い込んだ空気Ｙを空気清浄装置本体１１１の下部に形成された空気排出孔１１１ａ、１１１ｂから吹きだすように構成されている。これらの空気排出孔１１１ａ、１１１ｂから吹きだされた空気Ｙは、上向きのお椀上に構成された装置支持台１１０により上記傘状の空気吸い込み口１０１、１０２、１０３が配置されている上方に向けられる。これにより、本実施の形態の空気清浄装置１００の場合には、矢印で示したように、浄化された空気Ｙによるエアーカーテンが形成される。
【００４４】
これにより、本実施の形態の空気清浄装置１００によれば、図９に示したように、或る人間Ａがタバコ１２０を吸った場合においても、その煙は直ぐ上に位置する傘状の空気吸い込み口１０１によって吸い込まれ、フィルタ１３０によって浄化される。そして、浄化された空気Ｙは空気清浄装置本体１１１に沿う所定の範囲内において上方の傘状の空気吸い込み口１０１、１０２、１０３方向に吹きだされるので、他の人間Ｂにタバコ１２０の煙を吸わせてしまう不都合を少なくすることができる。
【００４５】
上記空気清浄装置本体１１１には１つのピン挿入孔１１１ａが形成されている。また、上記ダクト支持体１１２には上下方向に沿って２つのピン挿入孔１１２ａ、１１２ｂが形成されている。このような構成により、支持ピン１５０を差し込むピン挿入孔１１２ａ、１１２ｂを選択することによりテーブル１１３の高さを変えることができる。図１０の場合は、第１のピン挿入孔１１２ａに上記支持ピン１５０を差し込んでいる場合を示し、この場合の傘状の空気吸い込み口１０１、１０２、１０３及びテーブル１１３は低い高さｈ１となっている。
【００４６】
また、図１１の場合は、第２のピン挿入孔１１２ｂに支持ピン１５０を差し込んだ場合を示し、この場合の傘状の空気吸い込み口１０１、１０２、１０３及びテーブル１１３は高い高さｈ２となっている。このように、傘状の空気吸い込み口１０１、１０２、１０３及びテーブル１１３の高さを切り替えることができるので、図９に示したように、立って使用する場合には高い高さｈ２にすると都合が良い。また、上記テーブル１１３の周りに椅子等を置いて座って使用する場合には低い高さｈ１にすると都合良く使用することができる。
【００４７】
図１２に屋外型の空気清浄装置２００の構成例を示す。
図１２において、２１０は装置支持台、２１１は空気清浄装置本体、２１２はパラソル支持体、２１３はテーブル１１３、２１４は灰皿であり、これらの構成は上述した空気清浄装置１００の場合と同様である。本実施の形態においては、上述した傘状の空気吸い込み口１０１、１０２、１０３及び空気吸入ダクト１０１ａ、１０１ｂ、１０１ｃの代わりにパラソルの傘２１６及びパラソル状の柄２１５を設けている。そして、上記パラソル状の柄２１５の部分には拡大して示したように、空気吸入孔２１５ａが複数個形成されており、これら複数の空気吸入孔２１５ａから空気が内部に吸い込まれる。
【００４８】
本実施の形態においては、図示を省略するがフィルタ１３０がパラソル支持体２１２の内部に配設されている。
【００４９】
このような構成により、本実施の形態の屋外型の空気清浄装置２００の場合も上方から吸い込んで浄化した空気を、空気清浄装置本体２１１の下方から上方に向けて吐きだし、空気清浄装置本体２１１の周囲の所定の範囲にエアーカーテンを形成し、その範囲中において空気の汚染及び浄化が行われることになる。これにより、この実施の形態の場合も、周囲に対して悪影響を与えることが少ない屋外型の空気清浄装置２００を提供することができる。
【００５０】
次に、図１３を参照しながら本発明の空気清浄装置の第２の変形例を説明する。この空気清浄装置３００の場合は、ラソル状に形成された傘２１６をガイドパイプ３１０で所定の長さで支持している。上記支持する長さは、上記パラソル状の柄２１５に取り付けるストッパー３１１の位置により任意に決定することができるようにしている。
【００５１】
本実施の形態においては、上記ガイドパイプ３１０を大口径パイプ３２０で支持するようにしている。そして、上記大口径パイプ３２０の上端部にフィルタ３３０を配設して、上記吸入する空気量を多くしている。
【００５２】
また、本実施の形態においては、上記大口径パイプ３２０の上端部から内部に吸入した空気３４０を２つの系統に分けて上記大口径パイプ３２０の上端部に循環させるようにしている。
【００５３】
すなわち、空気吸入用ファン３５０で内部に吸入した空気３４０のうち、約１／３は空気清浄装置３００の内部に設けた循環路３６０を経由させて、テーブル３７０と上記大口径パイプ３２０の上部に形成された空気吸い込み部３２１の略中間位置から吐き出されるようにしている。上記経路で循環される空気を矢印３６１で示している。
【００５４】
また、上記内部に吸入した空気３４０のうち、約２／３は空気清浄装置３００の下部に形成された循環用空気室３８０に形成された空気吐出口３８１から吐出されて上記空気吸い込み部３２１に向けて循環される。この経路で循環される空気を矢印３８２で示している。
【００５５】
本実施の形態の空気清浄装置３００は、上述のように構成しているので、上記テーブル３７０の上面において大量の煙３９０が発生した場合においても、上記大量の煙３９０を上記２つの系統の循環空気３６１及び３８２によって上記空気吸い込み部３２１に導くことが可能となり、空気清浄を良好に行なうことができる。なお、上記ガイドパイプ３１０の長さを短くすると、吸気速度を増すことができるので、必要に応じて上記ガイドパイプ３１０の長さを加減するのが良い。
【００５６】
【効果】
以上詳述した如く、本発明によると、濾紙と濾紙の間の消臭、抗菌剤が偏在せず通過空気に対して消臭、抗菌剤が各部均一に作用するので、空気調和装置及び空気調和装置のされている建物内の消臭、抗菌作用がよりよく実施されるのは勿論のこと、濾紙の表面積に対して、消臭、抗菌剤の容積を大きくすることができるから、通過空気に対してよりよく消臭、抗菌作用を与えることができる。
【００５７】
更に、濾紙と消臭剤、抗菌剤を別々のものにすることができるので、特に濾紙に対して消臭、抗菌剤を含浸とかコーティングしないからより安価なフィルタとすることができるし、濾紙と消臭、抗菌剤の組み合わせを、空気調和装置側の清浄要求に合わせて自由に選択できるから、清浄すべき要求や状況に合ったフィルタとすることができる。
【００５８】
更に、上側の山谷状に形成された濾紙と下側の平坦な濾紙とを濾紙密閉保持体により一体的に固着し、上記濾紙密閉保持体を上側周囲枠に対して両面接着テープを介して取り付けて成るとともに、上記上側周囲枠により、フィルタ全体の強度を向上させるとともに、上記消臭剤，抗菌剤が端部から漏れるのを防止するための押さえ片を形成したので、頑強に且つ簡単に構成することができる。
【００５９】
また、本発明の空気清浄装置は、空気清浄装置本体の上方に複数の傘状の空気吸い込み口を配設しいるので、空気を上方から内部に吸い込み、上記内部に吸い込んだ空気を空気清浄装置本体の下方に形成した複数の空気排出孔から上方に向けて吐きだすので、上記空気排出孔と上記傘状の空気吸い込み口との間で空気を循環させて、空気清浄装置本体の周囲の所定の範囲に空気の清浄空間を形成することができて、上記空気の清浄空間内で発生したタバコの煙等が周囲に拡散する可能性を大幅に軽減することができ、周囲に悪影響を与えることが少なくすることができる。
【図面の簡単な説明】
【図１】本発明に係る消臭、抗菌フィルタの一実施例を示す斜視図。
【図２】図１に示したフィルタの裏面側に於ける斜視図。
【図３】図１の３−３線に沿う断面図。
【図４】図１の４−４線に沿う断面図。
【図５】図１に示した実施例のフィルタの部分断面を含む斜視図。
【図６】図５と同様の斜視図で、第２の実施例のフィルタを示す図。
【図７】第３の実施例のフィルタを示す分解斜視図。
【図８】第４の実施例のフィルタを示す断面を含む斜視図。
【図９】本発明の空気清浄装置の全体構成を示す斜視図。
【図１０】本発明の空気清浄装置の内部構成を示し、低い状態を示す断面図。
【図１１】本発明の空気清浄装置の内部構成を示し、高い状態を示す断面図。
【図１２】本発明の空気清浄装置の第１の変形例を示す斜視図。
【図１３】本発明の空気清浄装置の第２の変形例を示す斜視図。
【図１４】従来の空気清浄装置の第１の例を示す図。
【図１５】従来の空気清浄装置の第２の例を示す図。
【符号の説明】
１        フィルタ
２        下側の平坦な濾紙
３        上側の山谷状に形成された濾紙
３ａ      濾紙の端部
３ｂ      濾紙の山部
３ｃ      濾紙の谷部
３ｄ      濾紙の側部
４        山谷状フレーム
４ａ      フレームの端部
４ｂ      フレームの山部
４ｃ      フレームの谷部
４ｄ      フレームの側部
５        上側周囲枠
５ａ      押さえ片
６        濾紙密閉保持体
７ａ，７ｂ，７ｃ，７ｄ，７ｅ…    消臭、抗菌剤収容室
８        消臭、抗菌剤
９        空調装置のフィルタ取付部
１２，２２    平坦な濾紙
１３      山谷状に形成された濾紙
１００    空気清浄装置
１０１、１０２、１０３      傘状の空気吸い込み口
１１０    装置支持台
１１１    空気清浄装置本体
１１２    ダクト支持体
１１３    テーブル
１３０    フィルタ
１４０    空気吸入用ファン
【図１】
2005066388.tif 000003
【図２】
2005066388.tif 000004
【図３】
2005066388.tif 000005
【図４】
2005066388.tif 000006
【図５】
2005066388.tif 000007
【図６】
2005066388.tif 000008
【図７】
2005066388.tif 000009
【図８】
2005066388.tif 000010
【図９】
2005066388.tif 000011
【図１０】
2005066388.tif 000012
【図１１】
2005066388.tif 000013
【図１２】
2005066388.tif 000014
【図１３】
2005066388.tif 000015
【図１４】
2005066388.tif 000016
【図１５】
2005066388.tif 000017